(57)【要約】      （修正有）【課題】簡単かつコンパクトな構成で、種々の書類の封入封緘に適用でき、しかも書類の高い秘密保持性を有する自動封入封緘装置を提供する。【解決手段】自動封入封緘装置１は、封筒を供給する封筒供給部３と、封筒に入れる用紙を供給する用紙供給部４と、封筒及び用紙に印刷する印刷部５と、印刷済みの用紙を印刷済みの封筒に封入する封入部８と、用紙が封入された封筒を封緘する封緘部９と、を備える。印刷部は、封筒の宛名印刷と封入する用紙の情報印刷を交互に実行し、封筒の宛名と封入する用紙の情報を一致させる。【選択図】図２
2018144375.tif 000002
【特許請求の範囲】
【請求項１】
封筒を供給する封筒供給手段と、
封筒に入れる用紙を供給する用紙供給手段と、
封筒及び用紙に印刷する印刷手段と、
印刷済みの用紙を印刷済みの封筒に封入する封入手段と、
用紙が封入された封筒を封緘する封緘手段と、を備え、
前記印刷手段は、
封筒の宛名印刷と封入する用紙の情報印刷を交互に実行し、
封筒の宛名と封入する用紙の情報を一致させることを特徴とする自動封入封緘装置。
【請求項２】
前記印刷手段は、
封筒の宛名と封入する用紙の情報を一致させるために、封筒及び用紙にコードを印刷し、
封筒に印刷したコードと用紙に印刷したコードを読み取るコード読取手段と、
読み取ったコードが不一致の時に警報する制御手段を備えることを特徴とする請求項１に記載の自動封入封緘装置。
【請求項３】
印刷済みの複数枚の用紙を綴じる用紙綴じ手段を備えことを特徴とする請求項１または請求項２に記載の自動封入封緘装置。
【請求項４】
用紙または綴じ済みの用紙を折畳む折畳み手段を備えることを特徴とする請求項１乃至請求項３のいずれか１項に記載の自動封入封緘装置。
【発明の詳細な説明】
【技術分野】
【０００１】
この発明は、自動封入封緘装置に関し、特に印刷機や複写機などの画像形成装置と一体化することにより書類の印刷から封緘までを連続して自動的に行うことが可能な封入封緘装置に関する。
【背景技術】
【０００２】
近年、内容証明郵便等の内容の秘密性が要求される書類をプリンタから直接封筒に封入封緘する装置の要求がある。
【０００３】
従来の封入封緘装置としては、たとえば、印刷された書類をトレイ状の供給部から取込み、折畳み、封入封緘するものや（特許文献１）、封入封緘装置とは別に設けられた内容物送り機構から書類を１枚づつ供給し、封入封緘するもの（特許文献２）などが提案されている。
【先行技術文献】
【特許文献】
【０００４】
【特許文献１】特開平７−２５１９８号公報
【特許文献２】特開平９−５８１９３号公報
【発明の概要】
【発明が解決しようとする課題】
【０００５】
これらはいずれも印刷機と組合せて用いるための機構は備えていない。このため、従来の封入封緘装置では、封入される書類が限定され、しかも書類の高度な秘密性を保つことはできないなどの問題があった。
【０００６】
この発明は、かかる点に鑑みてなされたもので、簡単かつコンパクトな構成で、種々の書類の封入封緘に適用でき、しかも書類の高い秘密保持性を有する自動封入封緘装置を提供することを目的とする。
【課題を解決するための手段】
【０００７】
前記課題を解決し、かつ目的を達成するために、この発明は、以下のように構成した。
【０００８】
請求項１に記載の発明は、封筒を供給する封筒供給手段と、
封筒に入れる用紙を供給する用紙供給手段と、
封筒及び用紙に印刷する印刷手段と、
印刷済みの用紙を印刷済みの封筒に封入する封入手段と、
用紙が封入された封筒を封緘する封緘手段と、を備え、
前記印刷手段は、
封筒の宛名印刷と封入する用紙の情報印刷を交互に実行し、
封筒の宛名と封入する用紙の情報を一致させることを特徴とする自動封入封緘装置である。
【０００９】
請求項２に記載の発明は、前記印刷手段は、
封筒の宛名と封入する用紙の情報を一致させるために、封筒及び用紙にコードを印刷し、
封筒に印刷したコードと用紙に印刷したコードを読み取るコード読取手段と、
読み取ったコードが不一致の時に警報する制御手段を備えることを特徴とする請求項１に記載の自動封入封緘装置である。
【００１０】
請求項３に記載の発明は、印刷済みの複数枚の用紙を綴じる用紙綴じ手段を備えことを特徴とする請求項１または請求項２に記載の自動封入封緘装置である。
【００１１】
請求項４に記載の発明は、用紙または綴じ済みの用紙を折畳む折畳み手段を備えることを特徴とする請求項１乃至請求項３のいずれか１項に記載の自動封入封緘装置である。
【発明の効果】
【００１２】
前記構成により、この発明は、以下のような効果を有する。
【００１３】
請求項１乃至請求項４に記載の発明では、封筒の宛名印刷と封入する用紙の情報印刷と交互に実行し、封筒の宛名と封入する用紙の情報を一致させて、印刷済みの用紙を印刷済みの封筒に封入することで、簡単かつコンパクトな構成で、種々の書類の封入封緘に適用でき、しかも書類の高い秘密保持性を有する自動封入封緘を行うことができる。
【図面の簡単な説明】
【００１４】
【図１】自動封入封緘装置の平面図である。
【図２】自動封入封緘装置の概略構成図である。
【図３】封筒供給部を示す図である。
【図４】用紙供給部を示す図である。
【図５】形態１の印刷部を示す図である。
【図６】形態２の印刷部を示す図である。
【図７】用紙綴じ部を示す図である。
【図８】折畳み部を示す図である。
【図９】封入部を示す図である。
【図１０】封緘部を示す図である。
【発明を実施するための形態】
【００１５】
以下、この発明の自動封入封緘装置の実施の形態について説明する。この発明の実施の形態は、発明の最も好ましい形態を示すものであり、この発明はこれに限定されない。
【００１６】
（自動封入封緘装置の全体構成）
この実施の形態の自動封入封緘装置を、図１及び図２に基づいて説明する。図１は自動封入封緘装置の平面図、図２は自動封入封緘装置の概略構成図である。自動封入封緘装置１は、装置本体２に、封筒供給部３と、用紙供給部４と、印刷部５と、用紙綴じ部６と、折畳み部７と、封入部８と、封緘部９とを備える。
【００１７】
装置本体２には、操作部１０が配置され、操作部１０において用紙綴じの有無が選択され、用紙綴じの無１１の選択では、印刷済みの用紙を綴じないで印刷済みの封筒に封入する印刷済みの封筒に封入し、用紙綴じの有１２の選択では、印刷済みの用紙を綴じて印刷済みの封筒に封入する印刷済みの封筒に封入する。
【００１８】
（封筒供給部の構成）
封筒供給部３は、図３に示すように、封筒を供給する封筒供給手段３０を備える。封筒供給手段３０は、ストックケース３１に昇降台３２を備え、昇降台３２に載置された封筒Ｐ１を１枚づつ送り出しローラ３３により送り出し、搬送ローラ３４により印刷部５に封筒Ｐ１を１枚づつ供給する構成である。
【００１９】
（用紙供給部の構成）
用紙供給部４は、図４に示すように、封筒Ｐ１に入れる用紙を供給する用紙供給手段４０を備える。用紙供給手段４０は、ストックケース４１に昇降台４２を備え、昇降台４２に載置された用紙Ｐ２を送り出しローラ４３により送り出し、搬送ローラ４４により印刷部５に供給する構成である。
【００２０】
（形態１の印刷部の構成）
形態１の印刷部５は、図５に示すように、封筒Ｐ１及び用紙Ｐに印刷する印刷手段５０を備える。印刷手段５０は、プリンタで構成され、プリンタとして、例えば、インクジェットプリンタ、レーザープリンタを用い、オンデマンド印刷であり、迅速にすることができる。印刷手段５０には、封筒の印刷情報と用紙の印刷情報が入力される。印刷手段５０は、封筒の印刷情報と用紙の印刷情報に基づき、封筒Ｐ１の宛名印刷と封入する用紙Ｐ２の情報印刷を交互に実行し、封筒Ｐ１の宛名と封入する用紙Ｐ２の情報を一致させる。すなわち、用紙Ｐ２には、宛名と連絡文などの情報を印刷し、封筒Ｐ１には用紙Ｐ２に印刷した宛名と一致する宛名と住所などを印刷し、封筒Ｐ１の宛名と封入する用紙Ｐ２の情報を一致させるようにする。
【００２１】
（形態２の印刷部の構成）
形態２の印刷部５は、図６に示すように、封筒Ｐ１及び用紙Ｐに印刷する印刷手段５０を備え、形態１と同じ構成は同じ符号を付して説明を省略する。この形態２の印刷部５では、印刷手段５０は、封筒Ｐ１の宛名と封入する用紙Ｐ２の情報を一致させるために、封筒及び用紙にコードＤを印刷する。このコードＤとして、バーコードまたはＱＲコード(登録商標）などを用いる。
【００２２】
形態２の印刷部５は、コード読取手段５１、制御手段５２、警報手段５３を備える。コード読取手段５１は、封筒Ｐ１に印刷したコードＤと用紙Ｐ２に印刷したコードＤを読み取り、制御手段５２は、コード読取手段５１からの読み取り情報に基づいて読み取ったコードが不一致の時には、警報手段５３を駆動して警報音の発生や警報ランプの点灯を行い、装置の駆動を停止する。また、読み取ったコードが一致する時には、装置の駆動を継続する。
【００２３】
（用紙綴じ部の構成）
用紙綴じ部６は、図７に示すように、印刷済みの複数枚の用紙を綴じる用紙綴じ手段６０を備える。用紙綴じ手段６は、印刷済みの複数枚の用紙Ｐ２を綴じる綴じ部材６１と、印刷済みの複数枚の用紙Ｐ２を集めて揃える揃え部材６２と、揃えた複数枚の用紙Ｐ２を綴じ部材６１にセットする移動部材６３を有する。綴じ部材６１は、針で綴じる方法、接着剤で綴じる方法、用紙に切り込み片を設けて切り込みに差し込んで綴じる方法、用紙をエンボスで押圧して固着して綴じる方法など公知の綴じ方法を実行することが可能な構成である。
【００２４】
（折畳み部の構成）
折畳み部７は、図８に示すように、用紙または綴じ済みの用紙Ｐ２を折畳む折畳み手段７０を備える。折畳み手段７０は、用紙または綴じ済みの用紙Ｐ２を３つ折りに折畳む構成であり、４つの折りロール７１〜７４と、折りロール７１〜７４を挟んで両側に配置される２つの折りトレイ７５、７６とを備えている。折りトレイ７５、７６は、一端が開放し他端が閉じた薄い箱状の部材であり、一端から他端までの長さはほぼ用紙の縦方向の長さの１／３になっている。折りロール７１〜７４は、それぞれ順次当接するように配置し、折りロール７１、７２は、用紙を折りトレイ７５に送る方向に回転し、折りロール７２、７３は、用紙を折りトレイ７６に送る方向に回転する。折りロール７３、７４は用紙Ｐ２を折畳み部７から排出する方向に回転する。
【００２５】
この折畳み手段７０では、折りロール７１、７２間に挿入された用紙Ｐ２は、まず折りトレイ７５に導入され、さらに折りロール７１、７２によって送られることにより、用紙Ｐ２の先端が折りトレイ７５の閉じた端部に当接する。さらに、折りロール７１、７２によって用紙が進行し続けると、用紙Ｐ２は折りトレイ７５と折りロール７２との間で撓み、この撓んだ部分が折りロール７２、７３間に捉えられる。これによって、用紙Ｐ２は、先端から約１／３の位置で折畳まれて、折畳み部分を先端として折りロール７２、７３間を通過し、折りトレイ７６に導入される（図８（ｂ））。
【００２６】
用紙Ｐ２の折畳み部分が折りトレイ７６の閉じた端部に当接した後、さらに用紙Ｐ２が送られると、今度は、用紙Ｐ２は折りロール７３と折りトレイ７６との間で撓み、この撓んだ部分が折りトレイ７６の最後に導入された用紙Ｐ２の先端部分とともに折りロール７３、７４間に捉えられる（図８（ｃ））。これによって、用紙Ｐ２の先端から約２／３の位置でさらに折畳まれて、用紙Ｐ２は３つ折状態となり、折りロール７３、７４によって排出される（図８（ｄ））。
【００２７】
（封入部の構成）
封入部８は、図９に示すように、印刷済みの用紙Ｐ２を、１枚ないし複数枚を単位として印刷済みの封筒Ｐ１に封入する封入手段８０を備える。封入手段８０は、用紙Ｐ２を押出すプッシャー８１と、封筒Ｐ１を開封するフォーク８２と、封入後の封筒Ｐ１を受ける封筒トレイ８３を備えている。
【００２８】
プッシャー８１は、底部と底部に対し垂直なプレート部とを備えた略Ｌ字状の部材であり、封入位置と封筒トレイ８３との間を往復動する。フォーク８２は、テーパ形状を有する一対の部材からなり、プッシャー８１の移動路の側壁に沿ってプッシャー８１と同じ方向に移動する。この際、移動の始点ではプッシャー８１の移動路よりも低いレベルにあり、移動の終点では、プッシャー８１の移動路と同一レベルになる。フォーク８２のこのような運動を可能にするため、プッシャー８１の移動路の側壁には、フォーク８２を案内するガイド（図示せず）が設けられている。一対のフォーク８２は、同一の駆動モータによってガイドに沿って前記始点と終点との間を往復動する。
【００２９】
封筒トレイ８３は、プッシャー８１の移動路の一端においてプッシャー８１の移動路と直交する方向に移動可能に設置されており、封入動作が行われるときにはプッシャー８１の移動路の端部に位置し、封入動作の終了後、プッシャー８１の移動路と直交する方向に移動するように駆動制御される。
【００３０】
（封緘部の構成）
封緘部９は、図１０に示すように、用紙Ｐ２が封入された封筒Ｐ１を封緘する封緘手段９０を備える。封緘手段９０は、封入後の封筒Ｐ１を載せた封筒トレイ８３を搬送するタイミングベルト９１およびその駆動モータ９２、タイミングベルト９１上に封筒Ｐ１を送り出すためのニップモータ９３、タイミングベルト９１の搬送上流側の上方にあってフラップに水を供給する噴霧ノズル９４、搬送と同時にフラップを折返す折返し板９５、糊付けを確実にするための一対の加圧兼排出ロール９６を備えている。噴霧ノズル９４に代えて、接着剤を塗布するように構成してもよい。
【００３１】
タイミングベルト９１およびニップモータ９３は、フォーク８１とプッシャー８２による封入動作終了後、プッシャー８２位置を検知するセンサからの信号により駆動し、これによって封筒トレイ８３を装置横方向に搬送する。このとき、同時に噴霧ノズル９４を駆動する電磁弁が作動し、これによって封筒Ｐ１のフラップに糊水を霧状にして供給する。
【００３２】
タイミングベルト９１の搬送路上側に設置された折返し板９５は、１枚の平坦な帯状の板材をねじったような形状を有し、その一端は搬送面となす角度が１８０度に近い鈍角であり、他端は搬送面となす角度が０度に近い鋭角となるように構成されている。即ち、折返し板９５と搬送面との角度はその上流から下流にかけて１８０度から０度に漸次小さくなる。従ってフラップが開いた状態で搬送される封筒Ｐ１は、搬送の間に折返し板９５によってフラップが折返され、搬送の終点ではフラップが閉じた状態になる。
【００３３】
フラップには、噴霧ノズル９４によって糊水が供給されているので、この時点でほぼ封緘は完了しており、この状態で封筒トレイ８３上の封筒Ｐ１は、一対の加圧ロール９６間に挿入される。加圧ロール９６は駆動ロールとこの駆動ロールに対し当接、離反可能な従動ロールからなり、封筒トレイ８３の位置を検知するセンサからの信号により従動ロールが当接或いは離反する。加圧ロール９６は軸が封筒Ｐ１の搬送方向と平行しており、封筒トレイ８３の移動方向と直交する方向に封筒Ｐ１を排出する排出ローラとしても機能する。
【００３４】
この封緘手段９０では、封筒トレイ８３が加圧ロール９６の位置まで移動してくると、従動ロールは駆動ロールに当接するように駆動され、これによって両加圧ロール９６間で封筒をニップする。加圧ロール９６間で、封筒をニップしながら排出する際に、封緘部分は確実に糊付けされる。加圧ロール９６間が封筒Ｐ１をニップした時点で封筒トレイ８３はもとの封入部に復帰し、後続の封筒Ｐ１について封入動作が続けられる。
【００３５】
加圧ロール９６の近傍には、封緘後の封筒Ｐ１を受入れるスタッカ９７が設置されており、封筒Ｐ１はこれに収納される。このスタッカ９７は、装置前面に設けられた排出口からスタッカ９７ごと取り出すことができる。
【産業上の利用可能性】
【００３６】
この発明は、特に印刷機や複写機などの画像形成装置と一体化することにより書類の印刷から封緘までを連続して自動的に行うことが可能な封入封緘装置に適用可能であり、簡単かつコンパクトな構成で、種々の書類の封入封緘に適用でき、しかも書類の高い秘密保持性を有する自動封入封緘が可能である。
【符号の説明】
【００３７】
Ｐ１  封筒
Ｐ２  用紙
１  自動封入封緘装置
２  装置本体
３  封筒供給部
４  用紙供給部
５  印刷部
６  用紙綴じ部
７  折畳み部
８  封入部
９  封緘部
１０  操作部
１１  用紙綴じの無
１２  用紙綴じの有
３０  封筒供給手段
３１  ストックケース
３２  昇降台
３３  送り出しローラ
３４  搬送ローラ
４０  用紙供給手段
４１  ストックケース
４２  昇降台
４３  送り出しローラ
４４  搬送ローラ
５０  印刷手段
５１  コード読取手段
５２  制御手段
５３  警報手段
６０  用紙綴じ手段
６１  綴じ部材
６２  揃え部材
６３  移動部材
７０  折畳み手段
７１〜７４  折りロール
７５、７６  折りトレイ
８０  封入手段
８１  プッシャー
８２  フォーク
８３  封筒トレイ
９０  封緘手段
９１  タイミングベルト
９２  駆動モータ
９３  ニップモータ
９４  噴霧ノズル
９５  折返し板
９６  加圧兼排出ロール
９７  スタッカー
【図１】
2018144375.tif 000003
【図２】
2018144375.tif 000004
【図３】
2018144375.tif 000005
【図４】
2018144375.tif 000006
【図５】
2018144375.tif 000007
【図６】
2018144375.tif 000008
【図７】
2018144375.tif 000009
【図８】
2018144375.tif 000010
【図９】
2018144375.tif 000011
【図１０】
2018144375.tif 000012